(57)【特許請求の範囲】
【請求項１】
複数のLED素子を搭載した長尺のLED基板を、空気層を介して挿入する空洞状の挿入用貫通孔を有する、長尺の矩形チューブと、
断面の外形が扇型をなす長尺部材であって、前記扇型の内側に設けられた凹部の中央底部に前記長尺部材の長手方向と平行に設けられたＵ字型の底溝、該底溝を挟み互いに対向して同一水平レベルに設定された水平面からなる一対のチューブ搭載面、該一対のチューブ搭載面から前記矩形チューブの厚み相当分離れた前記一対のチューブ搭載面の上方において互いに対向するように突出し前記長手方向と平行に伸びる一対の固定稜、該一対の固定稜の上方に同一高さで前記一対の固定稜と平行に伸びる一対の保持溝を有し、前記矩形チューブの下面部の両側を前記一対のチューブ搭載面の上に搭載するホルダーと、
断面がΩ型の長尺部材であって、前記Ω型の両裾部の端部をそれぞれ前記一対の保持溝に挿入して前記矩形チューブを覆い、前記扇型の円弧部を構成するカバーと
を備えることを特徴とするLED照明固定具。
【請求項２】
前記挿入用貫通孔の断面形状が、上部側より下部側の横幅が大きい逆Ｔ字型であることを特徴とする請求項１に記載のLED照明固定具。
【請求項３】
前記扇型の両円弧端及び前記扇型の外側の両面に、複数の溝部を有することを特徴とする請求項１又は２に記載のLED照明固定具。
【請求項４】
前記一対の固定稜が断面山型であり、前記一対の固定稜の厚さがそれぞれ０．４〜０．６ｍｍであることを特徴とする請求項１〜３のいずれか１項に記載のLED照明固定具。
【請求項５】
断面の外形が扇型をなす長尺部材であって、前記扇型の内側に設けられた凹部の中央底部に前記長尺部材の長手方向と平行に設けられたＵ字型の底溝、該底溝を挟み互いに対向して同一水平レベルに設定された水平面からなる一対のチューブ搭載面、該一対のチューブ搭載面から矩形チューブの厚み相当分離れた前記一対のチューブ搭載面の上方において互いに対向するように突出し前記長手方向と平行に伸びる一対の固定稜、該一対の固定稜の上方に同一高さで前記一対の固定稜と平行に伸びる一対の保持溝を有し、前記矩形チューブの下面部の両側を前記一対のチューブ搭載面の上に搭載するホルダー、及び、断面がΩ型の長尺部材であって、前記Ω型の両裾部の端部をそれぞれ前記一対の保持溝に挿入して前記矩形チューブを覆い、前記扇型の円弧部を構成するカバーを有するLED照明固定具の部材である矩形チューブであって、
複数のLED素子を搭載した長尺のLED基板を、空気層を介して挿入する空洞状の挿入用貫通孔を有することを特徴とする長尺の矩形チューブ。
【請求項６】
複数のLED素子を搭載した長尺のLED基板を、空気層を介して挿入する空洞状の挿入用貫通孔を有する、長尺の矩形チューブ、及び、断面がΩ型の長尺部材であるカバーを有するLED照明固定具の部材であるホルダーであって、
断面の外形が扇型をなす長尺部材であって、
前記扇型の内側に設けられた凹部の中央底部に前記長尺部材の長手方向と平行に設けられたＵ字型の底溝と、
該底溝を挟み互いに対向して同一水平レベルに設定された水平面からなる一対のチューブ搭載面と、
該一対のチューブ搭載面から前記矩形チューブの厚み相当分離れた前記一対のチューブ搭載面の上方において互いに対向するように突出し前記長手方向と平行に伸びる一対の固定稜と、
該一対の固定稜の上方に同一高さで前記一対の固定稜と平行に伸びる一対の保持溝と
を有し、
前記矩形チューブの下面部の両側を前記一対のチューブ搭載面の上に搭載し、
前記カバーが前記矩形チューブを覆うように、かつ、前記カバーが前記扇型の円弧部を構成するように、前記Ω型の両裾部の端部をそれぞれ前記一対の保持溝に保持することを特徴とするホルダー。
【請求項７】
複数のLED素子を搭載した長尺のLED基板と、
前記LED基板を、空気層を介して挿入する空洞状の挿入用貫通孔を有する、長尺の矩形チューブと、
断面の外形が扇型をなす長尺部材であって、前記扇型の内側に設けられた凹部の中央底部に前記長尺部材の長手方向と平行に設けられたＵ字型の底溝、該底溝を挟み互いに対向して同一水平レベルに設定された水平面からなる一対のチューブ搭載面、該一対のチューブ搭載面から前記矩形チューブの厚み相当分離れた前記一対のチューブ搭載面の上方において互いに対向するように突出し前記長手方向と平行に伸びる一対の固定稜、該一対の固定稜の上方に同一高さで前記一対の固定稜と平行に伸びる一対の保持溝を有し、前記矩形チューブの下面部の両側を前記一対のチューブ搭載面の上に搭載するホルダーと、
断面がΩ型の長尺部材であって、前記Ω型の両裾部の端部をそれぞれ前記一対の保持溝に挿入して前記矩形チューブを覆い、前記扇型の円弧部を構成するカバーと
を備えることを特徴とするLED照明装置。
【発明の詳細な説明】
【技術分野】
【０００１】
本発明は、LED照明固定具、LED照明固定具の部材である矩形チューブ及びホルダーならびにLED照明装置に関する。
【背景技術】
【０００２】
LED照明のうち、長尺のテープタイプ及びチューブタイプのものは、作業用、内観又は外観の装飾用等、様々な目的において需要がある。従来、この長尺のLED照明を任意の箇所に取り付けるには、特許文献１に記載の照明体設置装置又は特許文献２に記載のLEDテープのホルダー等のような長尺の取付部材を利用していた。
【０００３】
しかし、特許文献１及び２に記載の発明のいずれにしても、取付部材の底面は単純な平面であるため、天井や壁面、床面等に設置した取付部材にLED照明を収納した場合、通常そのLED照明の照射方向は鉛直方向又は水平方向に限られていた。視認性を向上させたり、空間イメージを演出したりするためには、LED照明を鉛直方向又は水平方向から角度をつけた斜め方向に照射したい場合もある。その場合に特許文献１及び２に記載のような取付部材を用いるとすると、角度のついた別部材を設置面との間に挟んだり、斜めの不安定な状態でワイヤー等で固定したりする等の工夫が必要であり、追加の手間と費用がかかっていた。又、別部材を用いる場合には、照明としての美観性を損ねやすいという欠点も生じていた。
【先行技術文献】
【特許文献】
【０００４】
【特許文献１】特開２０１９−０４０８２６号公報
【特許文献２】特開２０１５−１４７４８０号公報
【発明の概要】
【発明が解決しようとする課題】
【０００５】
本発明は、上記課題を解決するものであって、従来技術と比較して取付けが容易であり、照明の斜め方向への照射を可能にするLED照明固定具、LED照明固定具の部材である矩形チューブ及びホルダーならびにLED照明装置を提供することを目的とする。
【課題を解決するための手段】
【０００６】
上記目的を達成するために、本発明の第１の態様は、（ａ）複数のLED素子を搭載した長尺のLED基板を、空気層を介して挿入する空洞状の挿入用貫通孔を有する、長尺の矩形チューブと、（ｂ）断面の外形が扇型をなす長尺部材であって、扇型の内側に設けられた凹部の中央底部に長尺部材の長手方向と平行に設けられたＵ字型の底溝、底溝を挟み互いに対向して同一水平レベルに設定された水平面からなる一対のチューブ搭載面、一対のチューブ搭載面から矩形チューブの厚み相当分離れた一対のチューブ搭載面の上方において互いに対向するように突出し長手方向と平行に伸びる一対の固定稜、一対の固定稜の上方に同一高さで一対の固定稜と平行に伸びる一対の保持溝を有し、矩形チューブの下面部の両側を一対のチューブ搭載面の上に搭載するホルダーと、（ｃ）断面がΩ型の長尺部材であって、Ω型の両裾部の端部をそれぞれ一対の保持溝に挿入して矩形チューブを覆い、扇型の円弧部を構成するカバーとを備えることを特徴とするLED照明固定具であることを要旨とする。
【０００７】
本発明の第２の態様は、（ａ）断面の外形が扇型をなす長尺部材であって、扇型の内側に設けられた凹部の中央底部に長尺部材の長手方向と平行に設けられたＵ字型の底溝、底溝を挟み互いに対向して同一水平レベルに設定された水平面からなる一対のチューブ搭載面、一対のチューブ搭載面から矩形チューブの厚み相当分離れた一対のチューブ搭載面の上方において互いに対向するように突出し長手方向と平行に伸びる一対の固定稜、一対の固定稜の上方に同一高さで一対の固定稜と平行に伸びる一対の保持溝を有し、矩形チューブの下面部の両側を一対のチューブ搭載面の上に搭載するホルダー、及び、断面がΩ型の長尺部材であって、Ω型の両裾部の端部をそれぞれ一対の保持溝に挿入して矩形チューブを覆い、扇型の円弧部を構成するカバーを有するLED照明固定具の部材である矩形チューブであって、（ｂ）複数のLED素子を搭載した長尺のLED基板を、空気層を介して挿入する空洞状の挿入用貫通孔を有することを特徴とする長尺の矩形チューブであることを要旨とする。
【０００８】
本発明の第３の態様は、（ａ）複数のLED素子を搭載した長尺のLED基板を、空気層を介して挿入する空洞状の挿入用貫通孔を有する、長尺の矩形チューブ、及び、断面がΩ型の長尺部材であるカバーを有するLED照明固定具の部材であるホルダーであって、（ｂ）断面の外形が扇型をなす長尺部材であって、（ｃ）扇型の内側に設けられた凹部の中央底部に長尺部材の長手方向と平行に設けられたＵ字型の底溝と、（ｄ）底溝を挟み互いに対向して同一水平レベルに設定された水平面からなる一対のチューブ搭載面と、（ｅ）一対のチューブ搭載面から矩形チューブの厚み相当分離れた一対のチューブ搭載面の上方において互いに対向するように突出し長手方向と平行に伸びる一対の固定稜と、（ｆ）一対の固定稜の上方に同一高さで一対の固定稜と平行に伸びる一対の保持溝とを有し、（ｇ）矩形チューブの下面部の両側を一対のチューブ搭載面の上に搭載し、（ｈ）カバーが矩形チューブを覆うように、かつ、カバーが扇型の円弧部を構成するように、Ω型の両裾部の端部をそれぞれ一対の保持溝に保持することを特徴とするホルダーであることを要旨とする。
【０００９】
本発明の第４の態様は、（ａ）複数のLED素子を搭載した長尺のLED基板と、（ｂ）LED基板を、空気層を介して挿入する空洞状の挿入用貫通孔を有する、長尺の矩形チューブと、（ｃ）断面の外形が扇型をなす長尺部材であって、扇型の内側に設けられた凹部の中央底部に長尺部材の長手方向と平行に設けられたＵ字型の底溝、底溝を挟み互いに対向して同一水平レベルに設定された水平面からなる一対のチューブ搭載面、一対のチューブ搭載面から矩形チューブの厚み相当分離れた一対のチューブ搭載面の上方において互いに対向するように突出し長手方向と平行に伸びる一対の固定稜、一対の固定稜の上方に同一高さで一対の固定稜と平行に伸びる一対の保持溝を有し、矩形チューブの下面部の両側を一対のチューブ搭載面の上に搭載するホルダーと、（ｄ）断面がΩ型の長尺部材であって、Ω型の両裾部の端部をそれぞれ一対の保持溝に挿入して矩形チューブを覆い、扇型の円弧部を構成するカバーとを備えることを特徴とするLED照明装置であることを要旨とする。
【発明の効果】
【００１０】
本発明によれば、従来技術と比較して取付けが容易であり、照明の斜め方向への照射を可能にするLED照明固定具、LED照明固定具の部材である矩形チューブ及びホルダーならびにLED照明装置を提供できる。
【図面の簡単な説明】
【００１１】
【図１】本発明の代表実施形態に係るLED照明固定具の部材である、矩形チューブ、ホルダー及びカバーの各斜視図である。
【図２】代表実施形態に係るLED照明固定具の斜視図である。
【図３】代表実施形態に係るLED照明装置の斜視図である。
【図４】図３の状態から、一部の部材の位置を移動させ、フラットカバーを取り付けた場合の斜視図である。
【図５】図４の状態に、端部カバーを取り付けた状態の斜視図である。
【図６】図６（ａ）は端部カバーの背面図であり、図６（ｂ）は端部カバーの右側面図である。
【図７】代表実施形態に係るLED照明固定具の断面図である。
【図８】代表実施形態に係るLED照明装置の断面図である。
【図９】図９（ａ）は実施形態に係るLED照明装置の取付け状態の第１実施例を示す断面図であり、図９（ｂ）は第１実施例の変形例を示す断面図である。
【図１０】代表実施形態に係るLED照明装置の取付け状態の第２実施例を示す断面図である。
【図１１】代表実施形態に係るLED照明装置の取付け状態の第３実施例を示す断面図である。
【図１２】第３実施例に用いるクリップの斜視図である。
【図１３】図１３（ａ）はフラットカバーの背面図であり、図１３（ｂ）はフラットカバーの正面図であり、図１３（ｃ）はフラットカバーの平面図であり、図１３（ｄ）はフラットカバーの右側面図である。
【発明を実施するための形態】
【００１２】
以下において、図面を参照して、本発明の代表実施形態を一つ取り上げ、例示的に説明する。以下の図面の記載において、同一又は類似の部分には同一又は類似の符号を付している。但し、図面は模式的なものであり、厚みと平面寸法との関係、各部材の大きさの比率等は現実のものとは異なることに留意すべきである。したがって、具体的な厚み、寸法、大きさ等は以下の説明から理解できる技術的思想の趣旨を参酌してより多様に判断すべきものである。又、図面相互間においても互いの寸法の関係や比率が異なる部分が含まれていることは勿論である。
【００１３】
又、以下に示す代表実施形態は、本発明の技術的思想を具体化するための方法及びその方法に用いる装置等を例示するものであって、本発明の技術的思想は、構成部品の材質、形状、構造、配置等、方法の手順等を下記のものに特定するものではない。本発明の技術的思想は、代表実施形態で記載された内容に限定されず、特許請求の範囲に記載された請求項が規定する技術的範囲内において、種々の変更を加えることができる。
【００１４】
また、以下の説明における「上部」や「下部」又は「上方」や「下方」等の方向の定義は、単に説明の便宜上の用語の選択であって、本発明の技術的思想を限定するものではない。例えば、代表実施形態に係るLED照明固定具（１，３，５）は、図１等における説明の都合上、上部や下部、底部等を定義しているが、例えば図９においては図１における底部が上側に位置している。しかし、図９のように回転させて使用したとしても、代表実施形態に係るLED照明固定具（１，３，５）の各部材間の相対的な位置が変動するものではなく、本発明の技術的思想には何ら影響を与えないものであることは明らかである。又、以下の説明における一部部材の「第１」及び「第２」等の表記についても説明の便宜的な用語であり、部材や全体形状が線対称であるものが多いため、「第１」及び「第２」等のそれぞれを入れ替えたとしても、本発明の技術的思想には何ら影響を与えないものが多いことも当然のことである。
【００１５】
（代表実施形態）
代表実施形態に係るLED照明固定具（１，３，５）は、図３に一部を例示したようにLED基板８を固定するためのLED照明固定具である。LED基板８は、上面に複数のLED素子７を搭載した長尺部材である。図３においては、LED素子７は一つしか図示されていないが、図３の右上方に向かって伸びる矩形チューブ３によって隠れた位置にも基本的には等間隔に複数のLED素子７がLED基板８上に配列されている。図１に示すように、代表実施形態に係るLED照明固定具（１，３，５）は、ホルダー１、ホルダー１に収納された矩形チューブ３及び矩形チューブ３を覆うカバー５を備える。矩形チューブ３は、ホルダー１の内側に設けられる一対のチューブ搭載面に下面部３５の両側が脱着自在に取り付けられる。ホルダー１の上部には、カバー５が脱着自在に取り付けられる。ホルダー１は図７に示すように、断面の外形が扇型をなす長尺部材である。「外形が扇型」とは、外郭に複数の凹凸を有する複雑に入り組んだ輪郭を有するが、底面１９を水平面に接地した場合の大まかな外形（包絡線）の形状が線対称の扇型に近似できる形状を意味する。ホルダー１は、長手方向に垂直な面で切った断面であれば、いずれの場所でも同一形状の断面となる。したがって、図１のホルダー端面１８の側から見た場合でも、ホルダー１は、図７の断面図と同一形状となる。カバー５はホルダー１に取り付けられて矩形チューブ３を覆った状態で、扇型の円弧部の一部を構成する。
【００１６】
図７に示すように、ホルダー１は扇型を定義する略Ｖ字の内側に設けられた凹部の中央底部にホルダー１の長手方向と平行に設けられたＵ字型の底溝１１を有する。Ｖ字の２辺は扇型の中心角を定義する２つの半径に対応する。ホルダー１は更に、底溝１１を挟み互いに対向して同一水平レベルに設定された水平面からなる一対のチューブ搭載面を有する。ホルダー１は更に、略Ｖ字の内側の両面の同じ高さに長手方向と平行の第１固定稜１２ａ及び第２固定稜１２ｂを、突出した稜（エッジ）として有している。第１固定稜１２ａ及び第２固定稜１２ｂは、それぞれチューブ搭載面から矩形チューブ３の厚み相当分離れたチューブ搭載面の上方において互いに対向するように突出しホルダー１の長手方向と平行に伸びている。更に、略Ｖ字の内側の両面の第１固定稜１２ａ及び第２固定稜１２ｂより上側の同じ高さに、長手方向と平行の第１保持溝１３ａ及び第２保持溝１３ｂを有する。矩形チューブ３はホルダー１に脱着自在な長尺板状であって、長手方向と平行に貫通する挿入用貫通孔３７を有し、Ｕ字型の底溝１１の上方かつ第１固定稜１２ａ及び第２固定稜１２ｂの下方に位置し、挿入用貫通孔３７にLED基板８を挿抜可能な空洞状の貫通構造を有している。カバー５はホルダー１に脱着自在な断面Ω型の長尺部材であって、断面Ω型の第１脚部５１ａ及び第２脚部５１ｂをそれぞれ第１保持溝１３ａ及び第２保持溝１３ｂに挿入し固定する。代表実施形態に係るLED照明固定具（１，３，５）においては、挿入用貫通孔３７にLED基板８を挿入した時に、複数のLED素子７と矩形チューブ３との間に空気層が生じる。
【００１７】
図１等に示すように、ホルダー１、矩形チューブ３及びカバー５はいずれも長尺部材である。ホルダー１、矩形チューブ３及びカバー５のそれぞれの長さは、LED照明固定具（１，３，５）を取り付ける箇所の長さにより、任意に変更することができる。ホルダー１、矩形チューブ３及びカバー５のそれぞれの長手方向の長さは、互いに同じであってもよいし、図５等に示す端部カバー９を端部に取り付ける場合等は、それぞれが異なる長さであってもよい。図１等に示すように、ホルダー１、矩形チューブ３及びカバー５はいずれも線対称な部材である。
【００１８】
図１等に示すように、ホルダー１は、Ｕ字型の底溝１１、第１保持溝１３ａ及び第２保持溝１３ｂの他に、扇型の円弧部の両端側に第１溝部１５ａ１、第２溝部１５ａ２、第３溝部１５ｂ１及び第４溝部１５ｂ２を有する。又、ホルダー１は、扇型の親骨の外側に位置する両面、即ち、第１側面２０ａ及び第２側面２０ｂに、第５溝部１６ａ、第６溝部１６ｂ、第７溝部１７ａ及び第８溝部１７ｂを有する。第１溝部１５ａ１、第２溝部１５ａ２、第３溝部１５ｂ１、第４溝部１５ｂ２、第５溝部１６ａ、第６溝部１６ｂ、第７溝部１７ａ及び第８溝部１７ｂはそれぞれ、ホルダー１の長手方向に平行に一様の深さと幅で刻まれている。
【００１９】
扇型の「円弧部」は「扇の先」に対応するが、図７で説明すると、ホルダー１において左側の親骨の先端部分の円弧部の領域は「左円弧端」と定義される。ホルダー１において右側の親骨の先端部分の円弧部の領域は「右円弧端」と定義される。「左円弧端」及び「右円弧端」は、いずれもホルダー１がなす扇型の円弧部の一部に相当する。扇型の両円弧端は、図７等に示すように、複数の溝部をそれぞれ刻むことができるようなある程度の幅をもった円弧部の周辺領域である。又、本明細書において「第１側面２０ａ」とは、ホルダー１において第５溝部１６ａ及び第７溝部１７ａそれぞれの両側の平面及びそれらをつなぐ仮想的な平面を指し、「第２側面２０ｂ」とは、ホルダー１において第６溝部１６ｂ及び第８溝部１７ｂそれぞれの両側の平面及びそれらをつなぐ仮想的な平面を指す。即ち、第１側面２０ａは図１等での水平面である底面１９に連続し、同様に、第２側面２０ｂは底面１９に連続する。底面１９は扇型の要の位置に対応する。
【００２０】
図１等に示すように、ホルダー１には、一対のチューブ搭載面で挟まれるように、ホルダー１の長手方向と平行に走るＵ字型の底溝１１が設けられている。ここで、本明細書においてホルダー１の扇型の「底部」は、扇型の要に対応する。扇型の要は、図１等のように、扇型の両円弧端を上側にし、底面１９を水平面と平行にした場合の底に当たる部位である。扇型の「底部」は、略Ｖ字の内側の逆ハット型の部分から下側の部位すべてを指すものとする。一対のチューブ搭載面と底溝１１とで逆ハット型をなす。尚、扇型の「内側」とは、扇形の親骨が構成するＶ字に挟まれた領域の全体を指す。底溝１１は、図１０に示すように、固定部材Ｂ１等の固定具により壁面Ｗにホルダー１１を固定する場合の空洞部として用いられ、底溝１１の深さがある程度あることでスペースが設けられ、矩形チューブ３の取付けの妨げとならないようにすることができる。固定部材Ｂ１等の固定具を用いる都合上、底溝１１は図１等の状態において底面部が水平であることが好ましい。ハットの「つば」に相当する一対のチューブ搭載面は、矩形チューブ３の取付け時に下面部３５が接する部位となるため、底溝１１同様、図１等の状態において水平であることが好ましい。
【００２１】
図１及び図７等に示すように、ホルダー１は、略Ｖ字の内側の両面の同じ高さにホルダー１の長手方向と平行に第１固定稜１２ａ及び第２固定稜１２ｂを有する。第１固定稜１２ａ及び第２固定稜１２ｂは、略Ｖ字の内側に定義される一対のチューブ搭載面より上方に位置し、それぞれ断面が略Ｖ字の内側に向かって山型の突部形状を成す。第１固定稜１２ａ及び第２固定稜１２ｂの突部形状の高さ（厚さ）は、全体サイズにもよるが、０．４〜０．６ｍｍ程度であることが好ましい。ホルダー１において、一対のチューブ搭載面より上方、かつ、第１固定稜１２ａ及び第２固定稜１２ｂより下方には、矩形チューブ３が収納可能である。第１固定稜１２ａ及び第２固定稜１２ｂのそれぞれの突部の頂点間の距離は、矩形チューブ３の横幅より小さい方が好ましい。
【００２２】
図１及び図７等に示すように、ホルダー１は、扇型を定義する略Ｖ字の内側の両面、かつ、第１固定稜１２ａ及び第２固定稜１２ｂより上側の同じ高さにホルダー１の長手方向と平行に第１保持溝１３ａ及び第２保持溝１３ｂを有する。図１及び図７等においては、第１保持溝１３ａ及び第２保持溝１３ｂはそれぞれ、第１固定稜１２ａ及び第２固定稜１２ｂに近接するように設けられているが、図１及び図７等に示す距離より離間していてもよい。第１保持溝１３ａ及び第２保持溝１３ｂはそれぞれ扇型の外側方向に刻まれており、カバー５の端部（裾部）、即ち第１脚部５１ａ及び第２脚部５１ｂを挿入し固定する。
【００２３】
図１及び図７等に示すように、ホルダー１がなす扇型の両円弧端に、第１カバー受け部１４ａ及び第２カバー受け部１４ｂが設けられている。第１カバー受け部１４ａ及び第２カバー受け部１４ｂはそれぞれ、カバー５を挿入し固定させる際に、第１突出部５２ａ及び第２突出部５２ｂを受ける切欠き構造である。
【００２４】
ホルダー１は、すべての構造が一体成型で形成されていてもよいし、一部の部材、例えば２本の固定稜が別個の部材であってもよい。ホルダー１は、強度の観点からは金属素材であることが好ましい。金属の中でも、軽量化の観点からはアルミニウム（Ａｌ）、又はＡｌ合金であることがより好ましい。Ａｌ合金としては、Ａｌ−マグネシウム（Ｍｇ）系合金、Ａｌ−Ｍｇ―ケイ素（Ｓｉ）系合金等、いずれでもよい。又、亜鉛（Ｚｎ）、Ｍｇ及び銅（Ｃｕ）等が配合されたジュラルミンであってもよい。
【００２５】
図７に示すように、矩形チューブ３の外形は上面部３４、下面部３５及び２つの側面部から成る矩形をなす断面形状である。矩形チューブ３は、やや扁平な矩形が紙面に垂直方向に伸びた長尺板状であり、断面形状が示す矩形の中心に挿入用貫通孔３７を紙面に垂直方向に貫通させている。図１及び図７等に示すように、挿入用貫通孔３７は、長手方向に垂直に切った断面形状が、上部側より下部側の横幅の方が大きいハット型、即ち逆Ｔ字型である。図１〜図３、図７等に示すように、挿入用貫通孔３７は、下部側の両脇に第１基板ガイド３１ａ及び第２基板ガイド３１ｂを有して逆Ｔ字型をなしている。図３に示すようにLED基板８の幅方向の両脇部は、凹部をなす第１基板ガイド３１ａ及び第２基板ガイド３１ｂに案内されて摺動移動可能である。即ち、挿入用貫通孔３７の断面が構成する逆Ｔ字型は、第１基板ガイド３１ａと第２基板ガイド３１ｂを結ぶ幅のある線分と、この線分に垂直な太い中棒からなるハット形状である。よって、図３に示すように、LED基板８の両脇部が、第１基板ガイド３１ａ及び第２基板ガイド３１ｂに案内されて並進移動することにより、LED基板８が挿入用貫通孔３７に挿抜自在になる。図１〜図３、図７等に示すように、第１基板ガイド３１ａ及び第２基板ガイド３１ｂの上方にはそれぞれ、第１肥厚部３２ａ及び第２肥厚部３２ｂが形成され、第１基板ガイド３１ａ及び第２基板ガイド３１ｂの凹部を定義している。第１肥厚部３２ａ及び第２肥厚部３２ｂにより、矩形チューブ３の上部側の横幅方向の両端部は、矩形チューブ３の側面部としても上面部３４としても、他の部分より厚みのある構造となっている。
【００２６】
挿入用貫通孔３７は、矩形チューブ３の長手方向に垂直な面で切った断面であれば、いずれの場所でも同一形状の断面となる。したがって、図１の矩形チューブ端面３３の側から見た場合でも、矩形チューブ３は、図７の断面図と同一形状となる。図７等においては、挿入用貫通孔３７の断面形状の逆Ｔ字型はカンカン帽形状に近いが、形状はこれに限らず、例えば逆Ｔ字の山の部分が丸みを帯びたポーラーハット形状であってもよいし、ハットの山の部分が深いシルクハット形状であってもよい。又、ハットの山の立ち上がり部分が垂直ではなく、内側方向に傾斜がつき、山の頂部に向かうに従って窄まった形状であってもよい。矩形チューブ３は、強度や扱いやすさの観点から、シリコン樹脂、アクリル樹脂、ポリ塩化ビニル等の樹脂系が好ましい。
【００２７】
図１及び図７等に示すように、カバー５の長手方向に垂直に切った断面構造が、蒲鉾型に近いΩ型をなしている。カバー５は、Ω型の形状が図７の紙面に垂直方向に伸びる長尺部材である。図１及び図７等に示すように、蒲鉾の板部分に近い第１脚部５１ａ及び第２脚部５１ｂが、ホルダー１の第１保持溝１３ａ及び第２保持溝１３ｂにそれぞれ長手方向に案内されて、脱着自在である。カバー５は、長手方向に垂直な面で切った断面であれば、いずれの場所でも同一形状の断面となる。したがって、図１のホルダー端面１８の側から見た場合でも、カバー５は、図７の断面図と同一形状となる。カバー５は、矩形チューブ３に挿入されたLED基板８上の複数のLED素子７（図３参照）からの発光を透過させるため、樹脂素材であることが好ましい。LED素子７の照射の粒感を極力減らすため、光を拡散する拡散素材をカバー５として使用してもよいし、クリアタイプのカバーに光拡散フィルム等を貼り付けて形成したカバーをカバー５として使用してもよい。一方、照度を確保するために粒感を敢えて残す場合はクリアタイプのカバーをカバー５として使用してもよい。
【００２８】
（LED照明装置の組立方法）
代表実施形態に係るLED照明固定具（１，３，５）は、互いの部材を図２のように組み合わせて使用する。図２においては、ホルダー１の一対のチューブ搭載面より上方、かつ、第１固定稜１２ａ及び第２固定稜１２ｂより下方の凹部に、矩形チューブ３が脱着自在に取り付けられている。又、ホルダー１の第１保持溝１３ａ及び第２保持溝１３ｂに、カバー５の第１脚部５１ａ及び第２脚部５１ｂが挿入・保持されている。図７に示すように、各部材を組み合せた状態のLED照明固定具（１，３，５）においては、底溝１１の底面部及び両側面ならびに下面部３５とで囲まれた底部空洞部Ｖ１が生じる。又同時に、上面部３４及びカバー５で囲まれた上部空洞部Ｖ２が生じる。
【００２９】
図２に示すように各部材を組み合わせた状態とするためには、ホルダー１に矩形チューブ３を収納してからカバー５を取り付けてもよいし、カバー５を取り付けてから矩形チューブ３をホルダー１のホルダー端面１８の側等から差し入れてもよい。ホルダー１への矩形チューブ３の収納方法は、ホルダー１の上方から矩形チューブ３の上面部３４を手で押圧する等して嵌め込んでもよいし、ホルダー１のホルダー端面１８の側等から差し入れてもよい。カバー５の取付方法は、ホルダー１の上方からカバー５の天面部５３を手で押圧する等して嵌め込んでもよいし、ホルダー１のホルダー端面１８の側等から差し入れてもよい。又、カバー５の第１脚部５１ａ又は第２脚部５１ｂのいずれか一方を第１保持溝１３ａ又は第２保持溝１３ｂに嵌め込んでから、他方の脚部を他方の保持溝に嵌め込む方法でもよい。
【００３０】
図２の組合せ状態から図１に示すような分離状態とするためには、カバー５を脱離させてから矩形チューブ３を脱離させてもよいし、カバー５を脱離させる前に矩形チューブ３を先にホルダー端面１８の側等から抜くように脱離させてもよい。ホルダー１からの矩形チューブ３の脱離方法は、矩形チューブ３の端部である矩形チューブ端面３３等に指等をかけ、上方に向けて端部から外していく形でもよいし、ホルダー１のホルダー端面１８の側等から抜き出す形でもよい。カバー５の脱離方法は、カバー５の第１突出部５２ａ又は第２突出部５２ｂのいずれか一方に指等をかけ、他方の突出部の方に押圧するようにして指等をかけた側の脚部の保持状態を外し、続いて他方の脚部の保持状態を外す形でもよい。又、ホルダー１のホルダー端面１８の側等から抜き出す形でもよい。
【００３１】
図３に示すように、上面に複数のLED素子７を搭載した長尺部材であるLED基板８を矩形チューブ３の挿入用貫通孔３７に挿入すると、代表実施形態に係るLED照明装置（１，３，５，８）が形成される。図２の代表実施形態に係るLED照明固定具（１，３，５）の状態からLED基板８を挿入用貫通孔３７に挿入してもよいし、あらかじめ挿入用貫通孔３７にLED基板８を挿入してから、LED基板８挿入済みの矩形チューブ３をホルダー１へ取り付けてもよい。LED基板８挿入済みの矩形チューブ３のホルダー１への脱着方法は、上述したように、LED基板８が挿入されていない矩形チューブ３のホルダー１への脱着方法と同様でよい。複数のLED素子７やLED基板８の種類については特定のものに限らない。LED照明装置（１，３，５，８）においては、複数のLED素子７からの発光がカバー５を透過することにより、カバー５が光拡散する素材の場合は、カバー５の天面部５３全体が発光面として機能し、天面部５３全体から一様に発光するように見える。
【００３２】
図８に示すように、LED基板８を矩形チューブ３の挿入用貫通孔３７に挿入すると、空気層である素子空洞部Ｖ３が出現する。素子空洞部Ｖ３内には複数のLED素子７が存在し、素子空洞部Ｖ３があるために、複数のLED素子７は矩形チューブ３に直接接触することはない。図８に示すように、LED基板８が挿入用貫通孔３７に挿入されると、第１基板ガイド３１ａ及び第２基板ガイド３１ｂ、即ち、挿入用貫通孔３７の一部がLED基板８で埋められる。素子空洞部Ｖ３は、元の挿入用貫通孔３７のうち、LED基板８で埋められなかった方の一部である。
【００３３】
LED基板８挿入済みの矩形チューブ３には、図４に示すように、インサートタイプのフラットカバー３６ａを取り付けてもよい。フラットカバー３６ａは図３に示す矩形チューブ端面３３を覆うように、かつ、矩形チューブ３全体を通して段差をつけない観点からは、被覆部の全体サイズが矩形チューブ端面３３の全体サイズとほぼ同程度であることが好ましい。フラットカバー３６ａを取り付けられるのはLED基板８の配線等がない側の端面が好ましく、LED基板８の配線等を有する側には異なる形状のフラットカバーが取り付けられてもよい。
【００３４】
例えば、図１３に示すように、図３等のLED基板８挿入済みの矩形チューブ３の矩形チューブ端面３３を覆うフラットカバーとして、小孔を有するタイプのフラットカバー３６ｂを取り付けてもよい。フラットカバー３６ｂの被覆部となる周辺部７１は、図４に示すフラットカバー３６ａと同様、矩形チューブ３に段差をつけない観点からは、全体サイズが矩形チューブ端面３３の全体サイズとほぼ同程度であることが好ましい。図１３に示すように、フラットカバー３６ｂは、実質的な蓋となる周辺部７１に、挿入用貫通孔３７に挿入される部分である閉栓部７２が接続されている。フラットカバー３６ｂには、周辺部７１及び閉栓部７２を貫通するように、第１小孔７３ａ及び第２小孔７３ｂが設けられている。第１小孔７３ａ及び第２小孔７３ｂは、図３等のLED基板８からの配線を通す機能を有する。
【００３５】
図４においては更に、矩形チューブ３及びカバー５の、ホルダー１に対する相対的な位置が変化している。この図４の状態から、端部カバー９を取り付けると図５の状態となる。端部カバー９は、図６に示すように、実質的な蓋となる本体部９５及び頂部９４から成る。頂部９４の下部側は複数の爪部から構成される。端部カバー９がLED照明固定具（１，３，５）に取り付けられた際は、第１爪部９１ａ及び第２爪部９１ｂはそれぞれ第１カバー受け部１４ａ及び第２カバー受け部１４ｂに接する。又、第３爪部９２ａ及び第４爪部９２ｂはそれぞれ第１保持溝１３ａ及び第２保持溝１３ｂに挿入されて固定される。更に、第５爪部９３ａ及び第６爪部９３ｂはそれぞれ、第１固定稜１２ａ及び第２固定稜１２ｂの下側の垂直面に接する。端部カバー９を取り付けられるのはLED基板８の配線等がない側の端面が好ましく、LED基板８の配線等を有する側には異なる形状の端部カバーが取り付けられてもよい。
【００３６】
（LED照明装置の取付方法１：第１実施例）
図９（ａ）に示すように代表実施形態のLED照明装置（１，３，５，８）は、第１実施例に係る取付方法として、鉛直方向の壁面Wに対して、両面テープ等の接着部材Ｔ１を介して固定することができる。接着部材Ｔ１は、ホルダー１の第１側面２０ａの長手方向のほぼ全面に貼り付けてもよいし、第１側面２０ａの長手方向に沿って断続的に複数箇所に貼り付けてもよい。ホルダー１は対称形であるため、第２側面２０ｂに接着部材Ｔ１を貼り付けることも可能である。又、図９（ｂ）に示すように代表実施形態に係るLED照明装置（１，３，５，８）は、第１実施例の変形例として、水平方向の壁面W、即ち天井部分に対しても、両面テープ等の接着部材Ｔ２を介して固定することができる。接着部材Ｔ２は、ホルダー１の第１側面２０ａの長手方向のほぼ全面に貼り付けてもよいし、第１側面２０ａの長手方向に沿って断続的に複数箇所に貼り付けてもよい。同様に、接着部材Ｔ２は、第２側面２０ｂにも貼り付けることが可能である。接着部材による固定は、壁面にビス止め等の穴開け加工が施せない場合、例えば冷蔵車・冷凍車の内部であって、穴を開けると冷却性能に影響を及ぼす場合等に特に有効である。勿論、天井と壁の境界付近に対して、代表実施形態に係るLED照明装置（１，３，５，８）の第１側面２０ａ及び第２側面２０ｂのいずれか一方を天井側に、他方を壁側に対向させ、両面テープ等の接着部材を介して両方を固定することも可能である。
【００３７】
図９（ａ）又は（ｂ）においては、代表実施形態に係るLED照明装置（１，３，５，８）について、ホルダー１、矩形チューブ３、カバー５及びLED基板８のすべての部材を組み上げた状態で接着部材Ｔ１又はＴ２を介して壁面Ｗに固定することができる。一方、ホルダー１、矩形チューブ３、カバー５及びLED基板８の各部材のすべて又は一部を分離した状態から、各部材を順次取り付けてもよい。例えば、図９（ａ）を例にとれば、まずホルダー１を接着部材Ｔ１を介して壁面Ｗに貼り付け、次にLED基板８挿入済みの矩形チューブ３をホルダー１に取り付け、最後にカバー５をホルダー１に取り付ける等である。
【００３８】
図９（ａ）及び（ｂ）における接着部材Ｔ１及びＴ２は、両面テープが好ましい。代表実施形態に係るLED照明装置（１，３，５，８）のホルダー１の素材や壁面Ｗの表面材質、取付場所の環境等を考慮し、取り付けられる強度や粘着力があれば、接着部材Ｔ１及びＴ２の種類は問わない。例えば、接着部材Ｔ１及びＴ２の接着剤はゴム系、アクリル樹脂系等いずれでもよいし、基材についてもポリプロピレン、ポリ塩化ビニル、アセテートフィルム、セロファン、クラフト紙、和紙等、いずれの素材でもよい。
【００３９】
図９（ａ）又は（ｂ）においては、LED基板８挿入済みの矩形チューブ３について、LED照明の照射角度を斜め下方４５°にするようにホルダー１に取り付けられている。矩形チューブ３は斜め下方を向くように設置されているが、ホルダー１の第１固定稜１２ａ及び第２固定稜１２ｂによりホルダー１から脱離することはない。又、カバー５についても同様に斜め下方を向くように設置されているが、ホルダー１の第１保持溝１３ａ及び第２保持溝１３ｂに挿入・保持されているため、ホルダー１から脱離することはない。
【００４０】
図９（ａ）又は（ｂ）においては、代表実施形態に係るLED照明装置（１，３，５，８）は照射角度を斜め下方４５°にするように鉛直方向又は水平方向の壁面Ｗに固定されているが、LED照明の照射角度をその他の角度にすることも可能である。例えば、水平な床面に第１側面２０ａ及び第２側面２０ｂのいずれか一方を固定すれば、LED照明装置（１，３，５，８）の照射角度を斜め上方４５°とすることができる。又、鉛直方向又は水平方向から角度のついた壁面に第１側面２０ａ及び第２側面２０ｂのいずれか一方を固定すれば、LED照明装置（１，３，５，８）の照射角度も斜め下方４５°又は斜め上方４５°以外にすることができる。いずれの照射角度に調整しても、LED基板８挿入済みの矩形チューブ３及びカバー５はホルダー１の一部により挿入・保持されているため、ホルダー１から脱離することはない。
【００４１】
図９（ａ）又は（ｂ）においては、第１側面２０ａの短手方向のほぼ全面に接着部材Ｔ１又はＴ２が貼り付けられているが、LED照明装置（１，３，５，８）が壁面Ｗに固定できるのであれば、第１側面２０ａの短手方向の一部のみに接着部材Ｔ１又はＴ２が貼り付けられていてもよい。又、図９（ａ）又は（ｂ）においては、壁面Ｗは平滑面を図示しているが、壁面Ｗは凹凸のある面であってもよい。
【００４２】
（LED照明装置の取付方法２：第２実施例）
図１０に示すように代表実施形態のLED照明装置（１，３，５，８）は、第２実施例に係る取付方法として、天井と壁の境界付近である壁面Wに対して、ビス等の固定部材Ｂ１を介して固定することができる。固定部材Ｂ１は、底溝１１から壁面Wの天井と壁の境界に向かって締め、ホルダー１を壁面Ｗに固定する。固定部材Ｂ１の頭は底部空洞部Ｖ１に位置し、矩形チューブ３のホルダー１への取付けを妨げない。ビス等の固定部材による固定は、壁面に穴開け加工が可能であって、より強固に固定したい時に有効である。図１０においては天井と壁の境界に対して固定部材Ｂ１を固定したが、天井から離間した鉛直方向の壁面に対して同様に固定してもよいし、鉛直方向の壁面から離間した天井に対して同様に固定してもよい。図１０に示す固定部材Ｂ１を通す穴については、底溝１１にあらかじめ開けられていてもよいし、固定部材Ｂ１の締め上げ時に固定部材Ｂ１により開けてもよい。LED照明装置（１，３，５，８）が壁面Ｗに固定できるのであれば、固定部材Ｂ１による固定箇所の数は問わない。
【００４３】
図１０においては、代表実施形態に係るLED照明装置（１，３，５，８）について、まずホルダー１を壁面Ｗに固定部材Ｂ１を用いて取り付けてから、LED基板８挿入済みの矩形チューブ３及びカバー５を順次取り付ける。LED基板８挿入済みの矩形チューブ３及びカバー５のホルダー１への取付方法は、図９（ａ）及び（ｂ）における接着部材による取付方法における場合と同様である。図１０における固定部材による取付方法に、図９（ａ）又は（ｂ）における接着部材による取付方法を組み合わせてもよく、その場合は固定が更に強固となる。
【００４４】
図１０においては、LED基板８挿入済みの矩形チューブ３について、LED照明の照射角度を斜め下方４５°にするようにホルダー１に取り付けられている。矩形チューブ３は斜め下方を向くように設置されているが、ホルダー１の第１固定稜１２ａ及び第２固定稜１２ｂによりホルダー１から脱離することはない。又、カバー５についても同様に斜め下方を向くように設置されているが、ホルダー１の第１保持溝１３ａ及び第２保持溝１３ｂに挿入・保持されているため、ホルダー１から脱離することはない。
【００４５】
図１０においては、代表実施形態に係るLED照明装置（１，３，５，８）は照射角度を斜め下方４５°にするように壁面Ｗに固定されているが、LED照明の照射角度をその他の角度にすることも可能である。例えば、水平な床面に第１側面２０ａ及び第２側面２０ｂのいずれか一方を接するように固定すれば、LED照明装置（１，３，５，８）の照射角度を斜め上方４５°とすることができる。又、鉛直方向又は水平方向から角度のついた壁面に第１側面２０ａ及び第２側面２０ｂのいずれか一方を接するように固定すれば、LED照明装置（１，３，５，８）の照射角度も斜め下方４５°又は斜め上方４５°以外にすることができる。いずれの照射角度に調整しても、LED基板８挿入済みの矩形チューブ３及びカバー５はホルダー１の一部により挿入・保持されているため、ホルダー１から脱離することはない。又、図１０の壁面Ｗとして平滑面を図示しているが、壁面Ｗはある程度の凹凸のある面であってもよい。
【００４６】
（LED照明装置の取付方法３：第３実施例）
図１１に示すように代表実施形態のLED照明装置（１，３，５，８）は、第３実施例に係る取付方法として、天井と壁の境界付近である壁面Wに対して、クリップＣを介して固定することができる。図１２に示すように、クリップＣは全体としてコの字をなす蛇腹状（屏風状）であり、上部に第１谷部６１ａ、側部に第２谷部６２ａ及び第３谷部６２ｂ、下部に第４谷部６１ｂの複数の折れ曲がり部ならびに側部中央に穿孔６３を有する。図１１に示すように、クリップＣは穿孔６３に通された固定部材Ｂ２により壁面Ｗに固定される。第１谷部６１ａへ第８溝部１７ｂを、第２谷部６２ａへ第７溝部１７ａを、第３谷部６２ｂへ第５溝部１６ａを、第４谷部６１ｂへ第１溝部１５ａ１をそれぞれ嵌合して、ホルダー１をクリップＣに固定することができる。LED照明装置（１，３，５，８）が壁面ＷにクリップＣを介して間接的に固定できるのであれば、クリップＣによる固定箇所の数は問わない。図１１はクリップＣの側部へホルダー１の第１側面２０ａを対向させた場合であって、クリップＣの側部へ第２側面２０ｂを対向させて固定しても構わない。その場合は、第１谷部６１ａへ第７溝部１７ａを、第２谷部６２ａへ第８溝部１７ｂを、第３谷部６２ｂへ第６溝部１６ｂを、第４谷部６１ｂへ第３溝部１５ｂ１をそれぞれ嵌合して、ホルダー１をクリップＣに固定することとなる。
【００４７】
図１１に示すように、固定部材Ｂ２の頭はクリップＣの第２谷部６２ａ及び第３谷部６２ｂの間の空間に位置するため、ホルダー１の取付けの妨げとはならない。図１１に示すように、各谷部と各溝部が嵌合する場合、任意の溝部への任意の谷部の嵌入深さは、その谷部の谷の深さより小さい。そのため必然的に、ホルダー１は壁面Ｗからは間隔が空き、天井や壁からやや浮いた格好となる。
【００４８】
図１１のようなクリップ部材による固定は、壁面に穴開け加工が可能であって、LED照明装置（１，３，５，８）又はホルダー１等の脱着を容易にワンタッチで行いたい場合、又は、脱着頻度が高い場合に特に有効である。図１１においては、クリップＣの上部を天井に近接させた状態で側部を壁に接するように固定しているが、クリップＣの固定位置はこれに限らない。例えば、クリップＣを天井から離間した鉛直方向の壁面に対して同様に固定してもよいし、クリップＣの側部を天井に対向させるように図１１の状態から９０°回転させ、天井に対して同様に固定してもよい。
【００４９】
図１１及び１２に示すクリップＣの形状は一例であり、コの字の奥行に相当する部分の長さや穿孔６３の大きさ、谷部の位置や数等は自由に変更することができる。他の例として、ホルダー１と同様に断面概形が扇型であって、全体としてコの字をなす蛇腹状のクリップＣの両末端のように、扇型の両末端が内側にやや巻き込んだ形状であり、ホルダー１の外側全体及び両末端を包み込むように固定するクリップであってもよい。その場合は、クリップの扇型の親骨に相当する外側の２平面が天井と壁それぞれに接して固定されてもよい。
【００５０】
図１１においては、代表実施形態に係るLED照明装置（１，３，５，８）について、ホルダー１、矩形チューブ３、カバー５及びLED基板８のすべての部材を組み上げた状態で壁面Ｗに固定済みのクリップＣを介して壁面Ｗに間接的に固定することができる。一方、ホルダー１、矩形チューブ３、カバー５及びLED基板８の各部材のすべて又は一部を分離した状態から、各部材を順次取り付けてもよい。例えば、まずホルダー１を、クリップＣを介して壁面Ｗに貼り付け、次にLED基板８挿入済みの矩形チューブ３をホルダー１に取り付け、最後にカバー５をホルダー１に取り付ける等である。
【００５１】
図１１においては、LED基板８挿入済みの矩形チューブ３について、LED照明の照射角度を斜め下方４５°にするようにホルダー１に取り付けられている。矩形チューブ３は斜め下方を向くように設置されているが、ホルダー１の第１固定稜１２ａ及び第２固定稜１２ｂによりホルダー１から脱離することはない。又、カバー５についても同様に斜め下方を向くように設置されているが、ホルダー１の第１保持溝１３ａ及び第２保持溝１３ｂに挿入・保持されているため、ホルダー１から脱離することはない。
【００５２】
図１１においては、代表実施形態に係るLED照明装置（１，３，５，８）は照射角度を斜め下方４５°にするように壁面Ｗに固定されているが、LED照明の照射角度をその他の角度にすることも可能である。例えば、図１１の状態からLED照明装置（１，３，５，８）をクリップＣから外し、LED照明装置（１，３，５，８）の中心軸で９０°回転させ、第２側面２０ｂがクリップの側部に対向するようにして固定し直せば、簡単に照射角度を斜め上方４５°に転換することができる。又、例えば、水平な床面にクリップＣを固定し、第１側面２０ａ及び第２側面２０ｂのいずれか一方をクリップＣの側部に対向するように固定しても、LED照明装置（１，３，５，８）の照射角度を斜め上方４５°とすることができる。又、鉛直方向又は水平方向から角度のついた壁面にクリップＣを固定し、第１側面２０ａ及び第２側面２０ｂのいずれか一方をクリップＣの側部に対向するように固定すれば、LED照明装置（１，３，５，８）の照射角度を斜め下方４５°又は斜め上方４５°以外にすることができる。いずれの照射角度に調整しても、LED基板８挿入済みの矩形チューブ３及びカバー５はホルダー１の一部により挿入・保持されているため、ホルダー１から脱離することはない。又、図１１においては、壁面Ｗとして平滑面を図示しているが、壁面Ｗはある程度の凹凸のある面であってもよい。
【００５３】
（有利な効果）
本発明の代表実施形態に係るLED照明固定具（１，３，５）によれば、LED照明を鉛直方向又は水平方向から角度をつけた斜め方向に照射するようにLED基板８を斜めに固定することが容易となる。従来から防水性能を有するLEDテープライトやLEDチューブライトは外側の被覆材がシリコン等の樹脂系素材であることが多く、その樹脂系素材をテープや接着剤で壁面に直接すること自体、大変困難なことであった。望みの角度及び位置に固定することは尚更困難を極めた。LED照明固定具（１，３，５）によりLED基板８を斜め方向に固定し、斜め方向に照射できるようにすることで、視認性を向上させて作業をしやすくしたり、空間イメージを望み通りに演出したりすることが容易となる。
【００５４】
本発明の代表実施形態に係るLED照明固定具（１，３，５）によれば、壁面への固定方法がテープ等の接着部材による固定、ビス等の固定部材による固定、固定したクリップへの嵌め込みによる固定等、様々選択することができるため、壁面の種類や脱着の頻度等を考慮し、様々なタイプの壁面へ固定することが可能となる。又、代表実施形態に係るLED照明固定具（１，３，５）によれば、LEDの照射側にはカバー５しか存在せず、ワイヤ等の別部材により照射側が遮られることがないため、照明としての美観性も保つ。
【００５５】
本発明の代表実施形態に係るLED照明固定具（１，３，５）によれば、LED基板８挿入済みの矩形チューブ３をホルダー１に脱着することがワンタッチで容易に可能となる。従来の防水性能を有するLEDテープライトやLEDチューブライトは、LED基板上のLED素子がシリコンで被覆されているものが多く、脱着の際の押圧等によりシリコンの被覆部分がLED素子から剥離しやすいことが問題であった。一旦剥離してしまうと、LED素子とシリコン部分との間に空気層が生じ、光の屈折率の関係で、シリコン部分を通したLED光の色味が変化してしまう。この剥離は不可逆的なものであり、LED素子とシリコン部分とを再接着することはできないため、複数のLED素子が固定されたLED基板ごと廃棄せざるを得ない。廃棄コストも別途かかるため、大変な損失となっていた。しかし、本発明の代表実施形態に係るLED基板８挿入済みの矩形チューブ３については、そもそも複数のLED素子７がシリコン被覆されておらず、複数のLED素子７の上方には空気層となる素子空洞部Ｖ３が存在している。そのため、従来問題となっていたようなLED素子とシリコンの剥離は、LED基板８挿入済みの矩形チューブ３をホルダー１に脱着する際の押圧等によっても起こりえない。剥離の心配がないので、LED基板８挿入済みの矩形チューブ３の脱着を慎重に行う必要もなく、LED基板８挿入済みの矩形チューブ３の取付けが行いやすくなり、従来生じていたような廃棄コストもかからない。
【００５６】
本発明の代表実施形態に係るLED照明固定具（１，３，５）に用いられるLED基板８上の複数のLED素子７は、シリコン被覆されていなくとも、図４に示すフラットカバー３６ａ又は図１３に示すフラットカバー３６ｂを矩形チューブ端面３３に装着することで、IP規格に基づく防塵性能及び防水性能を備えることが可能である。IP規格とは、IEC（国際電気標準化会議）によって定められ、JISでも採用されている電気製品の防水・防塵性能を表す規格である。LED照明固定具（１，３，５）によれば、防塵性能としては最高保護等級の「６」を、防水性能としては最高保護等級「８」に次ぐ「７」まで達成することが可能である。即ち、本発明の代表実施形態に係るLED照明固定具（１，３，５）は「IP67」までの防塵・防水性能を得ることが可能である。「IP67」は粉塵が内部に侵入せず、かつ、一時的な水中浸漬に耐えられる性能を有することを意味する。
【００５７】
本発明の代表実施形態に係るLED照明固定具（１，３，５）によれば、LED基板８挿入済みの矩形チューブ３が第１肥厚部３２ａ及び第２肥厚部３２ｂを有することで、上面部３４が複数のLED素子７に接触し、破損することを防ぐことができる。従来からLED基板用シリコンチューブとして断面矩形のチューブが存在するが、LED基板とチューブとの間に空気層が存在しても、チューブの上面からの押圧等により容易に内部のLED素子に接触してしまい、LED素子の破損につながっていた。又、チューブの各面のうち特に上面が内部側にたわみやすいという問題もあった。チューブの下面はLED基板に接しているためにたわみづらいが、両側面が内側に向かって倒れ込み、上面が陥没するようにたわむ。内部側にたわんだ上面は、押圧等の一時的な作用がなくとも内部のLED素子に接触しやすくなり、かつ、LED素子とチューブ上面との離間距離が変化するため、光の見た目の色味も変化してしまっていた。更に、水平方向より下方に照射角度を設定したい場合、チューブの上面も下方に向けざるを得ず、自然、内部のLED基板が下方、即ちチューブの上面側に落ち込み、LED素子とチューブとが接触してしまう問題もあった。本発明の代表実施形態に係るLED照明固定具（１，３，５）によれば、矩形チューブ３が第１肥厚部３２ａ及び第２肥厚部３２ｂがストッパーの役割を果たし、上面部３４側からの押圧等によっても内部の複数のLED素子７に容易に接触することはない。又、矩形チューブ３の第１肥厚部３２ａ及び第２肥厚部３２ｂが矩形チューブ３の全体形状の保持機能を発揮し、両側面の内側への倒れ込み及び上面部３４の陥没（たわみ）を防ぐことが可能である。更に、水平方向より下方に照射角度を設定する場合であっても、第１肥厚部３２ａ及び第２肥厚部３２ｂがLED基板８の押さえの役割を果たし、LED基板８を上面部３４側に落ち込ませず、上面部３４とLED素子７との接触を防ぐことができる。本発明の代表実施形態に係る矩形チューブ３は、上述の理由により繰り返しの使用にも耐え得る。
【００５８】
本発明の代表実施形態に係るLED照明固定具（１，３，５）によれば、ホルダー１、矩形チューブ３及びカバー５は任意の長さに切って使用することができる。例えば、設置現場においてその場で工具等により任意の長さに調整可能である。
【００５９】
本発明の代表実施形態に係るLED照明固定具（１，３，５）によれば、矩形チューブ３の端部はフラットカバーを取り付けた場合であっても同程度の厚みや幅を維持できるため、LED照明の途切れ等を発生させずにLED基板どうしを自然に接続可能である。そのため、例えばそれぞれ別個の色のLED素子を有する複数のLED基板をつなげて、全体として違和感なく１つのLED照明装置にすることができる。
【００６０】
本発明の代表実施形態に係るLED照明固定具（１，３，５）によれば、カバー５に第１突出部５２ａ及び第２突出部５２ｂを有することにより、発光面である天面部５３を広く設けることができる。これにより、より広くLED照明を照射することができ、特にカバー５として拡散素材のカバーを選択してLED光を拡散させた場合にその効果は顕著である。
【００６１】
（その他の実施形態）
本発明は代表実施形態によって記載したが、この開示の一部をなす論述及び図面は本発明を限定するものであると理解すべきではない。この開示から当業者には様々な代替の実施形態、実施例及び運用技術が明らかとなろう。
【００６２】
例えば、LED照明固定具を設置する場所に応じて、ホルダー１の扇型の第１側面２０ａと第２側面２０ｂが成す角度を、図１等に示すような９０°以外に設定する応用も可能である。
【００６３】
尚、上記の代表実施形態及びその他の実施形態で説明したそれぞれの技術的思想の一部を適宜、互いに組み合わせることも可能である。このように、本発明はここでは記載していない様々な実施形態等を含むことは勿論である。したがって、本発明の技術的範囲は上記の説明から妥当と解釈しうる、特許請求の範囲に係る発明特定事項によってのみ定められるものである。
【符号の説明】
【００６４】
１…ホルダー
３…矩形チューブ
５…カバー
７…LED素子
８…LED基板
９…端部カバー
１１…底溝
１２ａ…第１固定稜
１２ｂ…第２固定稜
１３ａ…第１保持溝
１３ｂ…第２保持溝
１４ａ…第１カバー受け部
１４ｂ…第２カバー受け部
１５ａ１…第１溝部
１５ａ２…第２溝部
１５ｂ１…第３溝部
１５ｂ２…第４溝部
１６ａ…第５溝部
１６ｂ…第６溝部
１７ａ…第７溝部
１７ｂ…第８溝部
１８…ホルダー端面
１９…底面
２０ａ…第１側面
２０ｂ…第２側面
３１ａ…第１基板ガイド
３１ｂ…第２基板ガイド
３２ａ…第１肥厚部
３２ｂ…第２肥厚部
３３…矩形チューブ端面
３４…上面部
３５…下面部
３６ａ、３６ｂ…フラットカバー
３７…挿入用貫通孔
５１ａ…第１脚部
５１ｂ…第２脚部
５２ａ…第１突出部
５２ｂ…第２突出部
５３…天面部
６１ａ…第１谷部
６１ｂ…第４谷部
６２ａ…第２谷部
６２ｂ…第３谷部
６３…穿孔
７１…周辺部
７２…閉栓部
７３ａ…第１小孔
７３ｂ…第２小孔
９１ａ…第１爪部
９１ｂ…第２爪部
９２ａ…第３爪部
９２ｂ…第４爪部
９３ａ…第５爪部
９３ｂ…第６爪部
９４…頂部
９５…本体部
Ｂ１、Ｂ２…固定部材
Ｃ…クリップ
Ｔ１、Ｔ２…接着部材
Ｖ１…底部空洞部
Ｖ２…上部空洞部
Ｖ３…素子空洞部
Ｗ…壁面
【要約】      （修正有）【課題】取付けが容易で、照明の斜め方向への照射を可能にするLED照明固定具、その部材である矩形チューブ及びホルダーならびにLED照明装置を提供する。【解決手段】LED照明固定具は、長尺のLED基盤を空気層を介して挿入する挿入用貫通孔３７を有する長尺の矩形チューブ３と、断面外形扇型の長尺部材であり、内側の凹部の中央底部に長手方向と平行のＵ字型の底溝１１、底溝を挟み同一水平レベルに設定された一対のチューブ搭載面、チューブ搭載面から矩形チューブの厚み分離れて突出した一対の固定稜（１２ａ、１２ｂ）及び固定稜の上方に同一高さで固定稜と平行な一対の保持溝（１３ａ、１３ｂ）を有し、矩形チューブの下面部３５の両側をチューブ搭載面の上に搭載するホルダー１と、断面Ω型の長尺部材であり、両裾部の端部をそれぞれ保持溝に挿入し、扇型の円弧部を構成するカバー５と、を備える。【選択図】図１【図１】
0006758636.tif 000002
【図２】
0006758636.tif 000003
【図３】
0006758636.tif 000004
【図４】
0006758636.tif 000005
【図５】
0006758636.tif 000006
【図６】
0006758636.tif 000007
【図７】
0006758636.tif 000008
【図８】
0006758636.tif 000009
【図９】
0006758636.tif 000010
【図１０】
0006758636.tif 000011
【図１１】
0006758636.tif 000012
【図１２】
0006758636.tif 000013
【図１３】
0006758636.tif 000014